(57)【要約】【課題】ベッド上の対象者が離床した理由を推定する。【解決手段】ベッド上への荷重に基づく荷重情報によって前記ベッド上の対象者が離床したと判定されたときに、前記荷重情報と、所定の荷重情報と所定の離床理由との対応関係とに基づいて、前記対象者の離床理由を推定する理由推定部と、前記推定された離床理由を表示する表示部と、を含む。【選択図】図５
2020080019.tif 000002
【特許請求の範囲】
【請求項１】
ベッド上への荷重に基づく荷重情報によって前記ベッド上の対象者が離床したと判定されたときに、前記荷重情報と、所定の荷重情報と所定の離床理由との対応関係とに基づいて、前記対象者の離床理由を推定する理由推定部と、
前記推定された離床理由を表示する表示部と
を含むユーザ端末。
【請求項２】
前記理由推定部が前記離床理由を推定するときに用いる荷重情報は、前記対象者が離床した時刻である、請求項１に記載のユーザ端末。
【請求項３】
前記理由推定部が前記離床理由を推定するときに用いる荷重情報は、前記対象者の離床前後の体重の変化である、請求項１または２に記載のユーザ端末。
【請求項４】
前記理由推定部が前記離床理由を推定するときに用いる荷重情報は、前記対象者が離床した時刻と、前記対象者が離床していた期間と、前記対象者の離床前後の体重の変化とのうちの少なくとも１つである、請求項１から３のいずれか一項に記載のユーザ端末。
【請求項５】
前記理由推定部が前記離床理由を推定するときに用いる荷重情報は、前記離床前の所定の期間における前記ベッド上の各位置への荷重の経時的変化である、請求項１から４のいずれか一項に記載のユーザ端末。
【請求項６】
前記理由推定部が推定した離床理由を仮登録として記憶し、
前記仮登録として記憶した離床理由を本登録として記憶し、
前記仮登録は修正可能である、記録部をさらに含む、請求項１から５のいずれか一項に記載のユーザ端末。
【請求項７】
ベッド上への荷重を検知する検知部と、
前記検知部によって検知された荷重に基づく荷重情報を格納した荷重情報格納部と、
前記荷重情報に基づいて、前記ベッド上の対象者が離床したと判定する離床判定部と、
所定の荷重情報と所定の離床理由との対応関係を格納した対応関係格納部と、
前記荷重情報と、前記所定の荷重情報と所定の離床理由との対応関係とに基づいて、前記対象者の離床理由を推定する理由推定部と、
前記推定された離床理由を表示する表示部と
を含む表示システム。
【請求項８】
コンピュータを
ベッド上への荷重に基づく荷重情報によって前記ベッド上の対象者が離床したと判定されたときに、前記荷重情報と、所定の荷重情報と所定の離床理由との対応関係とに基づいて、前記対象者の離床理由を推定する理由推定部と、
前記推定された離床理由を表示する表示部と
して機能させるためのプログラム。
【発明の詳細な説明】
【技術分野】
【０００１】
本発明は、ユーザ端末、表示システム、およびプログラムに関する。
【背景技術】
【０００２】
従来、多くの介護施設において、介護士や看護師などの介護者は、被介護者の生活の様子などを介護記録として残している。介護者たちは、介護記録によって互いに情報を共有している。
【０００３】
忙しい介護者が介護記録を記入作業する負担を減らすために、過去に遡った在床状況がモニター（観測、監視）できるシステムが開示されている（特許文献１）。特許文献１のシステムでは、ベッド寝床部上の被験者の在床状況（つまり、在床中か離床中か）を管理することができる。そして、介護者は、離床した理由の行動情報を選択のうえ記録することができる。
【発明の概要】
【発明が解決しようとする課題】
【０００４】
しかしながら、多忙な介護者たちにとって、なぜ被介護者が離床していたのか（例えば、食事、トイレ、入浴など）をすべて把握することは困難であった。
【０００５】
そこで、本発明の一実施形態では、離床理由を推定することを目的とする。
【課題を解決するための手段】
【０００６】
上述した課題を解決するために、本発明は、ベッド上への荷重に基づく荷重情報によって前記ベッド上の対象者が離床したと判定されたときに、前記荷重情報と、所定の荷重情報と所定の離床理由との対応関係とに基づいて、前記対象者の離床理由を推定する理由推定部と、前記推定された離床理由を表示する表示部と、を含むことを特徴とする。
【発明の効果】
【０００７】
本発明の一実施形態によれば、離床理由を推定することができる。
【図面の簡単な説明】
【０００８】
【図１】本発明の第１の実施形態に係る表示システムの構成図である。
【図２】本発明の一実施形態に係るユーザ端末のハードウェア構成図である。
【図３】本発明の第１の実施形態に係る表示システムの機能ブロック図である。
【図４】本発明の一実施形態に係る荷重情報である。
【図５】本発明の一実施形態に係る荷重情報である。
【図６】本発明の一実施形態に係る荷重情報と離床理由との対応関係である。
【図７】本発明の一実施形態に係る荷重情報と離床理由との対応関係である。
【図８】本発明の一実施形態に係る離床理由の推定処理のフローチャートである。
【図９】本発明の一実施形態に係る離床理由の記録処理のフローチャートである。
【図１０】本発明の第２の実施形態に係る表示システムの構成図である。
【図１１】本発明の第２の実施形態に係る表示システムの機能ブロック図である。
【図１２】本発明の第３の実施形態に係る表示システムの構成図である。
【図１３】本発明の第３の実施形態に係る表示システムの機能ブロック図である。
【発明を実施するための形態】
【０００９】
以下、各実施形態について添付の図面を参照しながら説明する。なお、本明細書および図面において、実質的に同一の機能構成を有する構成要素については、同一の符号を付することにより重複した説明を省略する。
【００１０】
なお、本明細書では介護施設における被介護者の離床理由の推定を一例として説明するが、本発明は、自宅、病院などの任意の場所にいる任意の者の離床理由を推定する際に適用することができる。
【００１１】
＜第１の実施形態に係るシステム構成＞
図１は、本発明の第１の実施形態に係る表示システム１００の構成図である。表示システム１００は、１または複数のユーザ端末１１０、各ベッド（寝台）１２１に設置されたセンサ１２２を含むことができる。表示システム１００は、ベッド１２１上の被介護者（以下、対象者ともいう）１２３がベッド１２１上から離れた（以下、離床ともいう）理由を推定して表示するシステムである。以下、それぞれについて説明する。
【００１２】
ユーザ端末１１０は、介護施設内にいる介護者１１１や介護施設外にいる対象者１２３の家族１１２などが利用する端末である。ユーザ端末１１０は、例えば、タブレット、スマートフォン、パーソナルコンピュータなどのコンピュータである。具体的には、ユーザ端末１１０は、任意のネットワーク１３０を介して、センサ１２２が検知した荷重を示すデータ（以下、荷重データともいう）を受信することができる。例えば、ユーザ端末１１０は、荷重データが保存されたデータロガー１２４から、その荷重データを受信することができる。また、ユーザ端末１１０は、荷重データから得られる情報（以下、荷重情報ともいう）に基づいて、対象者１２３が離床したと判定することができる。また、ユーザ端末１１０は、荷重情報と、荷重情報と離床理由との対応関係（後述する）とに基づいて、対象者１２３が離床した理由を推定することができる。また、ユーザ端末１１０は、対象者１２３が離床した理由をユーザ端末１１０上に表示することができる。
【００１３】
ベッド１２１は、対象者１２３が利用しているベッド（寝床）である。ベッド１２１上の対象者１２３が離床した理由が推定されることとなる。ベッド１２１は、任意のベッドであってよい。
【００１４】
センサ１２２は、ベッド１２１上への荷重を検知することができる検知部を含む。各ベッド１２１（例えば、ベッド１２１の脚）には、任意の数（例えば、４つ）のセンサ１２２が設置される。
【００１５】
ネットワーク１３０は、上述のとおり、有線・無線を問わず、任意のネットワークであってよい。
【００１６】
データロガー１２４は、センサ１２２が検知した荷重データを保存することができる。また、データロガー１２４が、荷重データを荷重情報へ変換するようにしてもよい。
【００１７】
＜ハードウェア構成＞
図２は、本発明の一実施形態に係るユーザ端末１１０のハードウェア構成図である。ユーザ端末１１０は、例えば図２に示すハードウェア構成のコンピュータ２００により実現される。
【００１８】
ユーザ端末１１０は、ＣＰＵ（Central Processing Unit）２０１、ＲＯＭ（Read Only Memory）２０２、ＲＡＭ（Random Access Memory）２０３を有する。ＣＰＵ２０１、ＲＯＭ２０２、ＲＡＭ２０３は、いわゆるコンピュータを形成する。
【００１９】
また、ユーザ端末１１０は、補助記憶装置２０４、表示装置２０５、操作装置２０６、Ｉ／Ｆ（Interface）装置２０７、ドライブ装置２０８を有する。なお、ユーザ端末１１０の各ハードウェアは、バス２０９を介して相互に接続されている。
【００２０】
ＣＰＵ２０１は、補助記憶装置２０４にインストールされている各種プログラムを実行する演算デバイスである。
【００２１】
ＲＯＭ２０２は、不揮発性メモリである。ＲＯＭ２０２は、補助記憶装置２０４にインストールされている各種プログラムをＣＰＵ２０１が実行するために必要な各種プログラム、データ等を格納する主記憶デバイスとして機能する。具体的には、ＲＯＭ２０２はＢＩＯＳ（Basic Input/Output System）やＥＦＩ（Extensible Firmware Interface）等のブートプログラム等を格納する、主記憶デバイスとして機能する。
【００２２】
ＲＡＭ２０３は、ＤＲＡＭ（Dynamic Random Access Memory）やＳＲＡＭ（Static Random Access Memory）等の揮発性メモリである。ＲＡＭ２０３は、補助記憶装置２０４にインストールされている各種プログラムがＣＰＵ２０１によって実行される際に展開される作業領域を提供する、主記憶デバイスとして機能する。
【００２３】
補助記憶装置２０４は、各種プログラムや、各種プログラムが実行される際に用いられる情報を格納する補助記憶デバイスである。
【００２４】
表示装置２０５は、ユーザ端末１１０の内部状態等を表示する表示デバイスである。
【００２５】
操作装置２０６は、ユーザ端末１１０の管理者がユーザ端末１１０に対して各種指示を入力する入力デバイスである。
【００２６】
Ｉ／Ｆ装置２０７は、ネットワーク１３０に接続し、サーバ装置１４０、センサ１２２が検知した荷重データが保存されたデータロガー１２４と通信を行うための通信デバイスである。
【００２７】
ドライブ装置２０８は記憶媒体２１０をセットするためのデバイスである。ここでいう記憶媒体２１０には、ＣＤ−ＲＯＭ、フレキシブルディスク、光磁気ディスク等のように情報を光学的、電気的あるいは磁気的に記録する媒体が含まれる。また、記憶媒体２１０には、ＲＯＭ、フラッシュメモリ等のように情報を電気的に記録する半導体メモリ等が含まれていてもよい。
【００２８】
なお、補助記憶装置２０４にインストールされる各種プログラムは、例えば、配布された記憶媒体２１０がドライブ装置２０８にセットされ、該記憶媒体２１０に記録された各種プログラムがドライブ装置２０８により読み出されることでインストールされる。あるいは、補助記憶装置２０４にインストールされる各種プログラムは、Ｉ／Ｆ装置２０７を介して、ネットワーク１３０は異なる他のネットワークよりダウンロードされることでインストールされてもよい。
【００２９】
＜第１の実施形態に係る機能ブロック＞
図３は、本発明の第１の実施形態に係る表示システム１００の機能ブロック図である。ユーザ端末１１０は、荷重情報取得部３０１、離床判定部３０２、理由推定部３０３、表示部３０４、記録部３０５、荷重情報格納部３０６、対応関係格納部３０７を含むことができる。また、ユーザ端末１１０は、プログラムを実行することで、荷重情報取得部３０１、離床判定部３０２、理由推定部３０３、表示部３０４、記録部３０５として機能することができる。以下、それぞれについて説明する。
【００３０】
荷重情報取得部３０１は、センサ１２２が検知した荷重データから得られる荷重情報を取得することができる。具体的には、荷重情報取得部３０１は、センサ１２２が検知した荷重データを受信することができる。荷重情報取得部３０１は、受信した荷重データを、荷重データを受信した時刻とともに荷重情報格納部３０６に記憶することができる。
【００３１】
また、荷重情報取得部３０１は、荷重データおよび荷重データを受信した時刻に基づいて、荷重情報を生成することができる。荷重情報取得部３０１は、生成した荷重情報を荷重情報格納部３０６に記憶することができる。
【００３２】
具体的には、荷重情報取得部３０１は、荷重データに基づいて、対象者１２３による荷重が検知されている状態から対象者１２３による荷重が検知されない状態に変わったときに、対象者１２３が離床したと判定することができる。荷重情報取得部３０１は、対象者１２３が離床したという情報を、対象者１２３が離床した時刻とともに、荷重情報格納部３０６に記憶することができる。また、荷重情報取得部３０１は、荷重データに基づいて、対象者１２３による荷重が検知されていない状態から対象者１２３による荷重が検知される状態に変わったときに、対象者１２３がベッド１２１上に戻ったと判定することができる。荷重情報取得部３０１は、対象者１２３がベッド１２１上に戻ったという情報を、対象者１２３がベッド１２１上に戻った時刻とともに、荷重情報格納部３０６に記憶することができる。また、荷重情報取得部３０１は、荷重データに基づいて、ベッド１２１上の対象者１２３の離床開始時の体重および離床終了時の体重を算出して、荷重情報格納部３０６に記憶することができる。また、荷重情報取得部３０１は、荷重データに基づいて、ベッド１２１上の各位置への荷重の経時的な変化（つまり、対象者１２３の体の動き）の情報（例えば、波形）を生成して、荷重情報格納部３０６に記憶することができる。
【００３３】
荷重情報格納部３０６は、荷重情報取得部３０１が受信した荷重データ、および、その荷重データが受信された時刻を格納することができる。また、荷重情報格納部３０６は、荷重データから得られる荷重情報を格納することができる。荷重情報は、例えば、対象者１２３が離床した時刻、および、対象者１２３がベッド１２１上に戻った時刻である。また、荷重情報は、例えば、対象者１２３の体重である。また、荷重情報は、対象者１２３の体の動きである。以下、図４および図５を参照しながら、荷重情報格納部３０６に格納されている荷重情報について詳細に説明する。
【００３４】
図４は、本発明の一実施形態に係る荷重情報である。図４に示されるように、荷重情報格納部３０６には、「対象者」ごとに、「離床開始時刻」、「離床終了時刻」、「離床時間」、「離床開始時体重」、「離床終了時体重」、「体重の増減」、「離床理由」のデータが記憶される。
【００３５】
「対象者」は、離床した対象者１２３を示す。荷重情報格納部３０６では、１または複数の対象者１２３の荷重情報が格納されうる。
【００３６】
「離床開始時刻」は、離床が開始した時刻を示す。つまり、離床開始時刻は、荷重データに基づいて、対象者１２３による荷重が検知されている状態から対象者１２３による荷重が検知されない状態に変わったと判定された時刻である。
【００３７】
「離床終了時刻」は、離床が終了した時刻を示す。つまり、離床終了時刻は、荷重データに基づいて、対象者１２３による荷重が検知されていない状態から対象者１２３による荷重が検知される状態に変わったと判定された時刻である。
【００３８】
「離床時間」は、対象者１２３が離床していた期間を示す。つまり、離床時間は、離床開始時刻から離床終了時刻までの期間である。
【００３９】
「離床開始時体重」は、対象者１２３が離床する前（つまり、離床開始時刻直前）の対象者１２３の体重を示す。つまり、離床開始時体重は、離床開始時刻直前の荷重データに基づいて算出された対象者１２３の体重である。
【００４０】
「離床終了時体重」は、対象者１２３がベッド１２１上に戻ったとき（つまり、離床終了時刻直後）の対象者１２３の体重を示す。つまり、離床終了時体重は、離床終了時刻直後の荷重データに基づいて算出された対象者１２３の体重である。
【００４１】
「体重の増減」は、離床開始時体重から離床終了時体重への増減、および、増減した重さを示す。
【００４２】
「離床理由」は、理由推定部３０３が推定した、対象者１２３が離床した理由である。なお、後述するように、離床理由は、仮登録された後、介護者１１１による確認後に本登録されうる。
【００４３】
図５は、本発明の一実施形態に係る荷重情報である。図５に示されるように、荷重情報格納部３０６には、ベッド１２１上の各位置への荷重の経時的な変化（つまり、対象者１２３の体の動き）の情報（例えば、波形）が記憶される。
【００４４】
図３に戻る。離床判定部３０２は、荷重情報格納部３０６に格納されている荷重情報に基づいて、対象者１２３が離床したか否かを判定することができる。
【００４５】
理由推定部３０３は、離床判定部３０２が対象者１２３が離床したと判定すると、対象者１２３が離床した理由を推定することができる。具体的には、理由推定部３０３は、荷重情報格納部３０６に格納されている荷重情報と、対応関係格納部３０７に格納されている荷重情報と離床理由との対応関係とに基づいて、対象者１２３が離床した理由を推定することができる。以下、離床理由の推定方法の例を説明する。なお、下記の例は任意の組み合わせで実施することができる。
【００４６】
＜離床時刻に基づく推定＞
理由推定部３０３は、対象者１２３が離床した時刻（例えば、離床開始時刻）に基づいて、離床理由を推定することができる。対応関係格納部３０７には、荷重情報（この例では、離床した時刻）と、その時刻に離床したときに推定される離床理由との対応関係（例えば、深夜であればトイレである可能性が高いなど）が格納されているものとする。そのため、理由推定部３０３は、対応関係に基づいて、離床した時刻に対応する離床理由を推定することができる。
【００４７】
＜生活パターンに基づく推定＞
理由推定部３０３は、対象者１２３の生活パターン（例えば、その対象者１２３は、いつ食事、トイレ、入浴へ行くかの情報）に基づいて、離床理由を推定することができる。対象者１２３の生活パターンは、荷重情報格納部３０６に蓄積された荷重情報と離床理由に基づいて作成されうる。この例では、対象者１２３の生活パターンに基づいて、荷重情報（この例では、離床した時刻）と、その時刻に離床したときに推定される離床理由との、対象者１２３ごとの対応関係が作成される。そのため、理由推定部３０３は、対象者１２３ごとの対応関係に基づいて、離床した時刻に対応する離床理由を推定することができる。
【００４８】
＜体重に基づく推定＞
理由推定部３０３は、対象者１２３の離床前後の体重に基づいて、離床理由を推定することができる。対応関係格納部３０７には、荷重情報（この例では、体重の増減量）と、その増減量のときに推定される離床理由との対応関係が格納されているものとする。例えば、図６に示されるように、体重が「・・・グラム以上増加」であれば、離床理由は「食事」であると推定される、あるいは、体重が「・・・グラム以上減少」であれば、離床理由は「トイレ」であると推定される、あるいは、体重が「・・・グラム以上増加」であれば、離床理由は「食事とトイレの両方」であると推定される、あるいは、体重が「変化なし」であれば、離床理由は「入浴」であると推定される。なお、増減のみで離床理由を推定するようにしてもよいし、増減した重さも考慮して離床理由を推定するようにしてもよい。例えば、離床した時刻（例えば、朝、昼、夜など）ごとに、体重の増減と離床理由との対応関係が決められてもよい。また、例えば、対象者ごとに、体重の増減と離床理由との対応関係が決められてもよい。
【００４９】
＜離床時間に基づく推定＞
理由推定部３０３は、対象者１２３が離床していた期間に基づいて、離床理由を推定することができる。対応関係格納部３０７には、荷重情報（この例では、離床時間。つまり、離床開始時刻から離床終了時刻までの期間）と、その離床時間のときに推定される離床理由との対応関係が格納されているものとする。例えば、図７に示されるように、離床時間が「・・・分以上・・・分未満」であれば、離床理由は「食事」であると推定される、あるいは、離床時間が「・・・分未満」であれば、離床理由は「トイレ」であると推定される、あるいは、離床時間が「・・・分以上」であれば、離床理由は「入浴」であると推定される。例えば、離床した時刻（例えば、朝、昼、夜など）ごとに、離床時間と離床理由との対応関係が決められてもよい。また、例えば、対象者ごとに、離床時間と離床理由との対応関係が決められてもよい。
【００５０】
＜離床前の体の動きに基づく推定＞
理由推定部３０３は、対象者１２３の離床前の体の動きに基づいて、離床理由を推定することができる。対応関係格納部３０７には、荷重情報（この例では、離床前の所定の期間における、ベッド１２１上の各位置への荷重の経時的な変化の情報（例えば、波形））と、その波形が見られた後に離床したときに推定される離床理由との対応関係が格納されているものとする。例えば、対応関係は、対象者１２３ごとの、トイレへ行くために離床する前の体の動きを示す波形と、離床理由（つまり、トイレ）との対応関係である。
【００５１】
＜その他の推定＞
理由推定部３０３は、離床の頻度に基づいて、離床理由を推定することができる。また、理由推定部３０３は、在床時間（つまり、離床しなかった期間）に基づいて、離床理由を推定することができる。
【００５２】
上記の例は任意の組み合わせで実施することができる。例えば、理由推定部３０３は、現在の時刻（つまり、離床した時刻）と、離床時間（離床していた期間）と、体重の増減とのうちの少なくとも１つに基づいて、離床理由を推定することができる。また、例えば、理由推定部３０３は、現在の時刻（つまり、離床した時刻）と、介護者１１１によって正しい離床理由に修正された（後述する）生活パターンとに基づいて、離床理由を推定することができる。
【００５３】
＜推定の重み付け＞
理由推定部３０３は、複数の推定方法による推定の結果に基づいて、離床理由を推定することができる。この際に、理由推定部３０３は、各推定の結果に重み付け（例えば、離床時間に基づく推定の結果よりも体重に基づく推定の結果を高く評価する）をすることができる。なお、重み付けは、全対象者１２３で統一された重み付けが用いられてもよいし、あるいは、対象者１２３ごとに異なる重み付けが用いられてもよい。
【００５４】
なお、対応関係格納部３０７に格納されている荷重情報と離床理由との対応関係は、人間が規定した対応関係であってもよいし、あるいは、入力データが荷重情報であり出力データが離床理由である教師データを用いて機械学習された学習済みモデルであってもよい。つまり、理由推定部３０３は、荷重情報が学習モデルに入力されたときの出力データを、推定された離床理由とすることができる。
【００５５】
表示部３０４は、理由推定部３０３が推定した、対象者１２３が離床した理由をユーザ端末１１０上に表示することができる。
【００５６】
記録部３０５は、理由推定部３０３が推定した離床理由を荷重情報格納部３０６に記録することができる。具体的には、記録部３０５は、理由推定部３０３が推定した離床理由を荷重情報格納部３０６に仮登録として記憶することができる。また、記録部３０５は、ユーザ端末１１０に入力された指示情報（例えば、本登録するように指示する情報）に基づいて、荷重情報格納部３０６に仮登録として記憶されている離床理由を本登録として記憶することができる。また、記録部３０５は、ユーザ端末１１０に入力された指示情報（例えば、理由推定部３０３が推定した離床理由ではなく、介護者１１１が実際に確認した離床理由に修正するように指示する情報）に基づいて、荷重情報格納部３０６に仮登録として記憶されている離床理由を修正のうえ本登録として記憶することができる。なお、記録部３０５は、理由推定部３０３が推定した離床理由を荷重情報格納部３０６に本登録として（つまり、介護者１１１による指示を一切待たずに）記憶することもできる。
【００５７】
検知部３０８は、ベッド１２１上への荷重を検知することができる。
【００５８】
＜介護者による修正の対応関係への反映＞
上記の介護者１１１によって修正された正しい離床理由が、対応関係格納部３０７に格納されている荷重情報と離床理由との対応関係に反映される（つまり、対応関係を修正する）ようにすることもできる。また、介護者１１１によって修正された正しい離床理由が、上記の推定の重み付けに反映されるようにすることもできる。例えば、介護者１１１によって修正された離床理由は、正しい離床理由である可能性が高いので、推定の結果を高く評価するように重み付けすることができる。
【００５９】
このように、本発明の一実施形態では、多忙な介護者１１１の代わりに、理由推定部３０３が離床理由を推定して、荷重情報格納部３０６に仮登録しておくことができる。そのため、介護者１１１は、ユーザ端末１１０上に表示された離床理由を確認するだけで容易に本登録する（例えば、介護記録として残す）ことができる。
【００６０】
図８は、本発明の一実施形態に係る離床理由の推定処理のフローチャートである。
・ステップ８０１（Ｓ８０１）で、荷重情報取得部３０１は、センサ１２２が検知した荷重データから得られた荷重情報を取得することができる。
・ステップ８０２（Ｓ８０２）で、離床判定部３０２は、Ｓ８０１で取得した荷重情報に基づいて、ベッド１２１上の対象者１２３が離床したか否かを判定することができる。離床した場合はステップ８０３へ進み、離床していない場合はステップ８０１へ戻る。
・ステップ８０３（Ｓ８０３）で、理由推定部３０３は、Ｓ８０１で取得した荷重情報と、荷重情報と離床理由との対応関係とに基づいて、対象者１２３が離床した理由を推定することができる。
・ステップ８０４（Ｓ８０４）で、表示部３０４は、Ｓ８０３で推定した対象者１２３が離床した理由を表示することができる。
【００６１】
図９は、本発明の一実施形態に係る離床理由の記録処理のフローチャートである。
・ステップ９０１（Ｓ９０１）で、表示部３０４は、理由推定部３０３が推定した離床理由を表示することができる。Ｓ９０１において、記録部３０５は、理由推定部３０３が推定した離床理由を荷重情報格納部３０６に仮登録として記憶することができる。
・ステップ９０２（Ｓ９０２）で、記録部３０５は、Ｓ９０１で仮登録した離床理由が正しい離床理由であるか否かを判定することができる。具体的には、記録部３０５は、ユーザ端末１１０に入力された指示情報（例えば、本登録するように指示する情報）に基づいて、離床理由が正しいと判定することができる。また、記録部３０５は、ユーザ端末１１０に入力された指示情報（例えば、理由推定部３０３が推定した離床理由ではなく、介護者１１１が実際に確認した離床理由に修正するように指示する情報）に基づいて、離床理由が誤っていると判定することができる。正しい離床理由である場合はステップ９０３へ、誤った離床理由である場合はステップ９０４へ進む。
・ステップ９０３（Ｓ９０３）で、記録部３０５は、Ｓ９０１で仮登録した離床理由を荷重情報格納部３０６に本登録として記憶することができる。
・ステップ９０４（Ｓ９０４）で、記録部３０５は、Ｓ９０１で仮登録した離床理由を、Ｓ９０２で指示された介護者１１１が実際に確認した離床理由へ修正することができる。
・ステップ９０５（Ｓ９０５）で、記録部３０５は、Ｓ９０４の修正後の離床理由を荷重情報格納部３０６に本登録として記憶することができる。
【００６２】
＜第２の実施形態に係るシステム構成＞
図１０は、本発明の第２の実施形態に係る表示システム１００の構成図である。第２の実施形態では、ユーザ端末１１０は、サーバ装置１４０やセンサ１２２からの荷重情報と、サーバ装置１４０やユーザ端末１１０内にある対応関係とに基づいて、離床理由を推定することができる。以下、第１の実施形態と異なる点のみ説明する。
【００６３】
表示システム１００は、サーバ装置１４０を含むことができる。サーバ装置１４０は、任意のネットワーク１３０を介して、センサ１２２が検知した荷重データを受信することができる。また、サーバ装置１４０は、任意のネットワーク１３０を介して、荷重データまたは荷重データから得た荷重情報を、ユーザ端末１１０へ送信することができる。また、サーバ装置１４０は、荷重情報と離床理由との対応関係を格納することができる。また、サーバ装置１４０は、任意のネットワーク１３０を介して、荷重情報と離床理由との対応関係をユーザ端末１１０へ送信することができる。サーバ装置１４０のハードウェア構成は、図２で説明したものと同様である。
【００６４】
ユーザ端末１１０は、荷重情報に基づいて、対象者１２３が離床したと判定することができる。荷重情報は、ユーザ端末１１０がサーバ装置１４０から受信したものでもよいし、ユーザ端末１１０がセンサ１２２から受信した荷重データから得たものでもよい。また、ユーザ端末１１０は、荷重情報と、荷重情報と離床理由との対応関係とに基づいて、対象者１２３が離床した理由を推定することができる。荷重情報と離床理由との対応関係は、ユーザ端末１１０がサーバ装置１４０から受信したものでもよいし、ユーザ端末１１０に格納されているものでもよい。また、ユーザ端末１１０は、対象者１２３が離床した理由をユーザ端末１１０上に表示することができる。
【００６５】
＜第２の実施形態に係る機能ブロック＞
図１１は、本発明の第２の実施形態に係る表示システム１００の機能ブロック図である。以下、第１の実施形態と異なる点のみ説明する。
【００６６】
サーバ装置１４０は、図３で説明した荷重情報取得部３０１、離床判定部３０２、理由推定部３０３、表示部３０４、記録部３０５、荷重情報格納部３０６、対応関係格納部３０７のうちの少なくとも一部を含むことができる。また、サーバ装置１４０は、プログラムを実行することで、荷重情報取得部３０１、離床判定部３０２、理由推定部３０３、表示部３０４、記録部３０５のうちの少なくとも一部として機能することができる。
【００６７】
ユーザ端末１１０は、図３で説明した荷重情報取得部３０１、離床判定部３０２、理由推定部３０３、表示部３０４、記録部３０５、荷重情報格納部３０６、対応関係格納部３０７のうちの少なくとも一部を含むことができる。また、ユーザ端末１１０は、プログラムを実行することで、荷重情報取得部３０１、離床判定部３０２、理由推定部３０３、表示部３０４、記録部３０５のうちの少なくとも一部として機能することができる。
【００６８】
例えば、ユーザ端末１１０は、荷重情報および対応関係の少なくとも一部をサーバ装置１４０から受信して、離床理由を推定することができる。ユーザ端末１１０は、離床理由を推定する都度、荷重情報および対応関係の少なくとも一部をサーバ装置１４０から受信してもよいし、あるいは、定期的に荷重情報および対応関係の少なくとも一部をサーバ装置１４０から受信してもよい。
【００６９】
＜第３の実施形態に係るシステム構成＞
図１２は、本発明の第３の実施形態に係る表示システム１００の構成図である。第３の実施形態では、ユーザ端末１１０は、サーバ装置１４０が推定した離床理由を表示することができる。以下、第１の実施形態と異なる点のみ説明する。
【００７０】
表示システム１００は、サーバ装置１４０を含むことができる。サーバ装置１４０は、任意のネットワーク１３０を介して、センサ１２２が検知した荷重データを受信することができる。また、サーバ装置１４０は、荷重データから得た荷重情報に基づいて、対象者１２３が離床したと判定することができる。また、サーバ装置１４０は、荷重情報と離床理由との対応関係を格納することができる。また、サーバ装置１４０は、荷重情報と、荷重情報と離床理由との対応関係とに基づいて、対象者１２３が離床した理由を推定することができる。また、サーバ装置１４０は、対象者１２３が離床した理由をユーザ端末１１０上に表示することができる。サーバ装置１４０のハードウェア構成は、図２で説明したものと同様である。
【００７１】
＜第３の実施形態に係る機能ブロック＞
図１３は、本発明の第３の実施形態に係る表示システム１００の機能ブロック図である。以下、第１の実施形態と異なる点のみ説明する。
【００７２】
サーバ装置１４０は、図３で説明した荷重情報取得部３０１、離床判定部３０２、理由推定部３０３、表示部３０４、記録部３０５、荷重情報格納部３０６、対応関係格納部３０７を含むことができる。また、サーバ装置１４０は、プログラムを実行することで、荷重情報取得部３０１、離床判定部３０２、理由推定部３０３、表示部３０４、記録部３０５として機能することができる。
【００７３】
ユーザ端末１１０は、サーバ装置１４０から、サーバ装置１４０が推定した離床理由を受信して、その離床理由をユーザ端末１１０上に表示することができる。
【００７４】
このように、本発明の一実施形態では、ベッドに加わる荷重に基づいて、そのベッド上の対象者が離床した理由を推定することができる。
【００７５】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【００７６】
１００  表示システム
１１０  ユーザ端末
１１１  介護者
１１２  介護者以外
１２１  ベッド
１２２  センサ
１２３  対象者（被介護者）
１２４  データロガー
１３０  ネットワーク
１４０  サーバ装置
３０１  荷重情報取得部
３０２  離床判定部
３０３  理由推定部
３０４  表示部
３０５  記録部
３０６  荷重情報格納部
３０７  対応関係格納部
３０８  検知部
【先行技術文献】
【特許文献】
【００７７】
【特許文献１】特開２０１５−０４２２４８号公報
【図１】
2020080019.tif 000003
【図２】
2020080019.tif 000004
【図３】
2020080019.tif 000005
【図４】
2020080019.tif 000006
【図５】
2020080019.tif 000007
【図６】
2020080019.tif 000008
【図７】
2020080019.tif 000009
【図８】
2020080019.tif 000010
【図９】
2020080019.tif 000011
【図１０】
2020080019.tif 000012
【図１１】
2020080019.tif 000013
【図１２】
2020080019.tif 000014
【図１３】
2020080019.tif 000015